(57)【要約】【課題】フレキシブル配線材がカバーと摺動状態で接触して磨耗することを抑制可能で、装置コストも低減可能な光ピックアップ装置の信号電送線接続構造及び光ディスク装置を提供する。【解決手段】この発明の光ピックアップ装置および光ディスク装置は、対物レンズ１１１を移動可能に保持するＰＵＨ（ピックアップ装置）１９が光ディスクの半径方向に沿って移動される際にＰＵＨと接続されたフレキシブル配線材２９の曲率半径がＰＵＨの位置に応じて増大することで光ディスク装置に用いられるカバー部材と摺動状態で接することを防止するとともに、ＰＵＨ内に設けられたレーザ発光素子等からの発熱によるレーザ発光素子の温度上昇を低減することができる。【選択図】  図２
2008117437.tif 000002
【特許請求の範囲】
【請求項１】
光ディスクの情報記録面に情報を記録及び再生するための少なくともレーザ光を発光するレーザ発光素子と上記レーザ光を上記光ディスクの情報記録面上に集光するための対物レンズを揺動可能に搭載する支持ブロックと、
上記支持ブロックを保持するベース部材と、
上記支持ブロックの所定の位置に設けられた接続端と、
上記ベース部材の所定の位置に設けられた接続端と、
上記２つの接続端を電気的に接続する可撓性を有する信号電送線と、
上記支持ブロックと一体に設けられ、上記信号線配線材が上記支持ブロックの移動により変形する際に、その変形の方向を方向づける案内部材と、
を有することを特徴とする光ディスク装置。
【請求項２】
上記案内部材は、上記信号電送線が屈曲する方向に伸び、光ディスクと接することを防止する方向に、上記変形の方向を方向づけることを特徴とする請求項１記載の光ディスク装置。
【請求項３】
上記案内部材は、上記信号電送線が、光ディスクと接することを防止する方向に、光ディスクから遠ざかる方向に変形されていることを特徴とする請求項２記載の光ディスク装置。
【請求項４】
光ディスクの情報記録面に情報を記録及び再生するための少なくともレーザ光を発光するレーザ発光素子と上記レーザ光を上記光ディスクの情報記録面上に集光するための対物レンズを揺動可能に搭載する支持ブロックと、
上記支持ブロックを保持するベース部材と、
上記支持ブロックの所定の位置に設けられた接続端と、
上記ベース部材の所定の位置に設けられた接続端と、
上記２つの接続端を電気的に接続する可撓性を有する信号電送線と、
上記支持ブロックと一体に設けられ、上記信号電送線が上記支持ブロックの移動により変形する際に、その変形の方向を方向づける案内部材と、
上記支持ブロックの一部および上記信号電送線を覆うもので、上記支持ブロックを冷却可能に、気流の通過が可能な開口を有するカバー部材と、
を有することを特徴とする光ディスク装置。
【請求項５】
上記カバー部材は、複数の穴を有することを特徴とする請求項４記載の光ディスク装置。
【請求項６】
上記カバー部材は、上記支持ブロックが支持する上記対物レンズを露出させる範囲よりも大きな面積の開口が与えられていることを特徴とする請求項４記載の光ディスク装置。
【請求項７】
上記カバー部材は、上記支持ブロック及び上記信号電送線との間に上記案内部材を位置させた状態に設けられることを特徴とする請求項４乃至６のいずれかに記載の光ディスク装置。
【請求項８】
光ディスクの情報記録面に情報を記録及び再生するための少なくともレーザ光を発光するレーザ発光素子と上記レーザ光を上記光ディスクの情報記録面上に集光するための対物レンズを揺動可能に搭載する支持ブロックと、
上記支持ブロックの所定の位置に設けられた接続端と、
上記接続端に対して信号を供給可能な可撓性を有する信号電送線と、
上記支持ブロックと一体に設けられ、上記信号電送線が上記支持ブロックの移動により変形する際に、その変形の方向を方向づける案内部材と、
を有することを特徴とする光ピックアップ装置。
【請求項９】
上記案内部材は、上記支持ブロックが所定の方向に移動される際に、上記信号電送線が変形する方向を所定の方向に方向づけることを特徴とする請求項８記載の光ピックアップ装置。
【発明の詳細な説明】
【技術分野】
【０００１】
この発明は、光ピックアップ装置及び光ディスク装置に関する。
【背景技術】
【０００２】
記録されている情報をレーザ光により再生し、あるいはレーザ光により情報が記録可能な光ディスク装置（光ディスクドライブ）が実用化されて久しい。
【０００３】
光ディスク装置は、光ディスクの情報記録面に沿ってその半径方向に移動され、光ディスクに記録されている情報を読み出し、あるいは光ディスクに情報を記録する光ピックアップ（光ヘッド）装置と、光ピックアップ装置を光ディスクの半径方向に移動させるための光ヘッド送り機構と、光ディスクを回転させるディスクモータと、情報の記録及び再生に関する一連の動作を司る制御回路部を含む。なお、光ピックアップ装置により取得された再生信号あるいは光ピックアップ装置により記録される記録信号の伝達のために、ドロワシャーシに搭載された制御回路部と光ピックアップ装置を電気的に接続する（光ピックアップ装置とフレーム部との間の信号線である）フレキシブル配線材が用いられる。
【０００４】
フレキシブル配線材には、光ピックアップ装置が光ディスクの半径方向に移動される際の全区間において光ピックアップ装置の移動に制約を与えることの無い所定の長さが与えられている。このため、光ピックアップ装置がフレキシブル配線材の最も撓む位置に近づくにつれ、通常１８０°折り返された状態に設けられるフレキシブル配線材の撓み、すなわち折り返し部の曲率半径が増大する。特に、一般的にフレキシブル配線材が有る程度の硬さを有しているため、フレキシブル配線材の折り返し部の曲率半径が大きくなると薄型タイプの光ディスクドライブ装置においてはそのドライブ本体の底板によって、折り返し部のフレキシブル配線材の底板側の部分が押圧される。このため折り返し部のフレキシブル配線材の底板とは反対側にあたる光ディスク側がこの光ディスク面に接触するという問題が発生する。この問題を避けるために、光ディスクとフレキシブル配線材の折り返し部とが接触することを抑止するためのカバー部材が設けられる。
【０００５】
しかしながら、カバー部材を設けたとしても、フレキシブル配線材が移動してその曲率半径が変化しながらカバー部材と接することにより、フレキシブル配線材が、次第に磨耗することが知られている。
【０００６】
このような背景から、フレキシブル配線板が引き出される光ヘッド装置の角部をテーパとして、フレキシブル配線板の折り返しループが被覆板（カバー部材）と接触することを抑制する提案がある（例えば、特許文献１）。
【特許文献１】特開２０００−２５１４２１号公報
【発明の開示】
【発明が解決しようとする課題】
【０００７】
特許文献１の光ヘッド装置では、フレキシブル配線板の折り返しループと被覆板との間の距離が確保され易くなることは認められるが、両者の接触すなわちフレキシブル配線板が被覆板に接する虞を完全に除去することはできない。なお、フレキシブル配線板が被覆板に接する場合には摺動状態となる（接触位置が常に変化する）ことから、フレキシブル配線板の磨耗が進むことは、容易に思量できる。
【０００８】
この発明の目的は、フレキシブル配線材がカバー部材と接触することによる磨耗を抑制可能で、装置コストも低減可能な光ピックアップ装置の信号線接続構造及び光ディスク装置を提供することである。
【課題を解決するための手段】
【０００９】
この発明は、上記問題点に基づきなされたもので、光ディスクの情報記録面に情報を記録及び再生するための少なくともレーザ光を発光するレーザ発光素子と上記レーザ光を上記光ディスクの情報記録面上に集光するための対物レンズを揺動可能に搭載する支持ブロックと、上記支持ブロックを保持するベース部材と、上記支持ブロックの所定の位置に設けられた接続端と、上記ベース部材の所定の位置に設けられた接続端と、上記２つの接続端を電気的に接続する可撓性を有する信号電送線と、上記支持ブロックと一体に設けられ、上記信号線配線材が上記支持ブロックの移動により変形する際に、その変形の方向を方向づける案内部材と、を有することを特徴とする光ディスク装置を提供するものである。
【発明の効果】
【００１０】
この発明の任意の実施の形態によれば、光ピックアップ装置とシャーシベース（ドロワシャーシ）に搭載された制御回路部とを電気的に接続するフレキシブル配線材は、フレキシブル配線材と光ディスクとが接することを防止するカバー部材と接触することが無くなる。
【００１１】
また、案内部材に金属等の熱伝導性の良好なものを使用して光ピックアップ装置に熱結合された状態で取り付けることによって、また光ピックアップの金属カバーと一体構造とすること等によって放熱板の役割を担うことができるため、光ピックアップ装置内に設けられたレーザ発光素子等からの発熱によるレーザ発光素子の温度上昇を低減することができ、その結果レーザ発光素子の寿命拡大を図ることができる。
【００１２】
さらに、フレキシブル配線材の摩耗を防ぐために、カバー部材とフレキシブル配線材とが接触する位置にカバー部材に貼られる保護シートが不要となることから、部品点数の低減及び製造工数の低減及び軽量化が可能となり、製造コスト及び部品コストが低減される。
【００１３】
すなわち、カバー部材との接触によるフレキシブル配線材の磨耗を抑制可能で、部品コスト及び装置コストも低減可能な光ピックアップ装置の信号電送線接続構造及び光ディスク装置が得られる。
【発明を実施するための最良の形態】
【００１４】
図１は、この発明の実施の一形態が適用可能な光ディスク装置の一例を示す。なお、図１は、光ディスクを保持するディスクトレイがハウジングから突出されるドロワタイプと呼ばれる光ディスク装置であって、例えばパーソナルコンピュータ等に組み込まれて利用される。
【００１５】
図１に示す光ディスク装置１０１は、ハウジング１、ハウジング１内に収容され、記録媒体である光ディスクの装着あるいは取り外しの際にハウジング１から突出されるドロワユニット１１を有する。なお、図１は、ドロワユニット１１がハウジング１から解放（突出）された状態を示している。
【００１６】
ドロワユニット１１は、ドロワシャーシ／シャーシベース１３を有する。
【００１７】
ドロワシャーシ／シャーシベース１３の所定の位置には、光ディスクを保持して、所定の速度で回転させるターンテーブル１５を備えたディスクモータが固定されている。尚、ドロワシャーシ／シャーシベース１３のターンテーブル１５とは反対の側の端部には、例えばターンテーブル１５の詳述しないディスクモータの回転や後段に説明するヘッド送り機構を制御するための制御回路部１４が設けられている。
【００１８】
ドロワシャーシ／シャーシベース１３の大部分は、ディスクモータの周囲を含む、一部が切り欠かれた開口部１７ａを有するカバー１７により覆われている。また、図３を用いて後段に説明する（図１では見えない）が、ターンテーブル１５が露出される側と反対の側には、ドロワシャーシ／シャーシベース１３の背面側の全域あるいは一部を覆う、背面カバー２１が設けられている。
【００１９】
カバー１７の開口（切り欠き）部１７ａからは、ターンテーブル１５に装着される光ディスクから情報を読み出すためのＰＵＨ（光ピックアップ装置）１９の所定の位置に揺動可能に設けられた対物レンズ１１１が露出されている。対物レンズ１１１は、ＰＵＨ１９に搭載されるアクチュエータ機構に備えられたアクチュエータ駆動コイル（図示せず）によって光ディスクの情報記録面にレーザ光を集光するようにフォーカス方向（レーザ光の光軸方向）及びトラッキング方向（光ディスクの径方向）に揺動制御されることはいうまでもない。
【００２０】
なお、カバー１７には、開口（切り欠き）部１７ａに加えて、内部の熱を逃がすための複数の放熱穴１７ｂが形成されている。放熱穴１７ｂを設けることにより、ターンテーブル１５に光ディスクがセットされて回転されることで、ＰＵＨ１９の周囲に気流が生じる。これにより、ＰＵＨ１９内に設けられたレーザ発光素子及びアクチュエータ駆動コイルからの発熱によるＰＵＨ１９の温度上昇が低減され、その結果レーザ発光素子の温度上昇の低減効果を得ることができる（ディスクが回転されて生じる気流がレーザ発光素子の冷却に利用できる）。また、放熱穴の形状は、図示するような複数の円形に限らず、ターンテーブル１５の回転中心に同心円状に形成されてよいし、ドロワシャーシ／シャーシベース１３がハウジング１から突出される方向に平行または直交する直線状であってもよいことはいうまでもない。尚、この内部の熱を逃がすための複数の放熱穴１７ｂは後述するガイド板３１を備えることによって、後述するフレキシブル配線材２９の摩耗を抑制することが可能となるため設けることができる。
【００２１】
ＰＵＨ１９は、ターンテーブル１５とドロワユニット１１の引出し方向先端部１１ａとの間すなわち光ディスクがターンテーブル１５に装着された場合のディスクの半径方向に沿って移動可能となっていて、光ディスクの情報記録面に、詳述しないが、所定の波長のレーザ光を照射し、そのレーザ光が光ディスクの情報記録面で反射された反射レーザ光を取り込む上述の対物レンズ１１１を有する。
【００２２】
図２及び図３は、図１に示した光ディスク装置１０１のハウジング１からドロワユニット１１を抜き出し、ドロワシャーシ／シャーシベース１３を分離した状態を示す。なお、図２及び図３においては、カバー１７も取り外した状態を示している。
【００２３】
ドロワシャーシ／シャーシベース１３の所定の位置には、ＰＵＨ１９を、ターンテーブル１５の近傍の内周側データ読み取り位置とターンテーブル１５からの距離が最も確保された外周側データ読み取り位置との間で移動可能に支持するガイドロッド２３及びガイドレール２５が設けられている。
【００２４】
ガイドロッド２３及びガイドレール２５は、ターンテーブル１５の回転中心を含む線分を中心線としてその両側に位置されている。また、ガイドロッド２３と概ね平行に、ＰＵＨ１９を、上述の内周側データ読み取り位置と外周側データ読み取り位置との間で移動させるヘッド送り機構２７が設けられている。ヘッド送り機構２７は、ＰＵＨ１９の所定の位置でＰＵＨ１９と機械的に結合され、詳述しないがヘッド送り機構２７から提供される推進力をＰＵＨ１９に伝達することで、上述の内周側データ読み取り位置と外周側データ読み取り位置との間を移動させる。
【００２５】
ガイドロッド２３は、ＰＵＨ１９のロッド受け１９ａに挿入されることにより、光ディスクの情報記録面に対して略平行に半径方向の移動のための位置決めを兼ねる。ガイドレール２５は、ＰＵＨ１９の突起部あるいは接触子１９ｂのスライドを可能とした形状が与えられ、ガイドロッド２３と略平行に取り付けられている。また、ガイドロッド２３と同様にロッド形状としても良い。
【００２６】
ＰＵＨ１９は、ガイドロッド２３及びガイドレール２５に上述したように移動可能に支持されることで、ディスクがターンテーブル１５に装着された場合のディスクの半径方向に沿ったスムースな移動が確保されている。
【００２７】
ＰＵＨ１９の接触子１９ｂの近傍には、ＰＵＨ１９とシャーシベース１３に設けられた制御回路部１４の接続端１４ａ（図４参照）との間の電気的な接続に利用される接続端１９ｃ（図４参照）が用意されている。
【００２８】
接続端１４ａと接続端１９ｃとの間には、可撓性を有したフレキシブル配線材２９が用意されている。すなわち、ＰＵＨ１９とシャーシベース１３とは、フレキシブル配線材２９により電気的に接続されている。なお、一般的にＰＵＨ１９内のレーザ発光素子及びアクチュエータ駆動コイルの電気的配線もこのフレキシブル配線材２９に含まれている。
【００２９】
フレキシブル配線材２９は、図４に示すように、シャーシベース１３の図示しない開口部から露出した状態にある背面カバー２１と接することにより、ＰＵＨ１９が移動される際の自身の屈曲部の曲率半径の増大分が、ターンテーブル１５にセットされた光ディスク側すなわちカバー１７側へ集約される。このため、図３に示すように、図２に示したガイド板３１を取り外した場合、フレキシブル配線材２９の屈曲部２９ａが背面カバー２１からの反発力（押圧）により、突出することになる。
【００３０】
このような背景から、ＰＵＨ１９の所定の位置にガイド板３１を設けて、ＰＵＨ１９が移動されることによりフレキシブル配線材２９の屈曲部の曲率半径の増大分がカバー１７（図１参照）側へ表れる（図２参照）ことを抑止したことにより、フレキシブル配線材２９がカバー１７と接することが防止される。
【００３１】
フレキシブル配線材２９は、ＰＵＨ１９における厚さ方向の上端側に設けられた接続端１９ｃ（図４参照）と接続され、屈曲部（ＰＵＨ１９が移動する際に変形する部分）２９ａがターンテーブル１５側に向けられた状態で方向が反転されて、ＰＵＨ１９の底部側（背面カバー２１上）を案内され、シャーシベース１３（接続端１４ａ）と接続される。
【００３２】
また、図１に示した通り、カバー１７には複数の放熱穴１７ｂが設けられているが、ガイド板３１によりフレキシブル配線材２９とカバー１７とが接することが防止されることにより、フレキシブル配線材２９が磨耗することはない。なお、フレキシブル配線材２９は、本願においてもガイド板３１及び背面カバー２１とは接するが、ガイド板３１はＰＵＨ１９が移動する際にＰＵＨ１９と一体に移動することから、フレキシブル配線材２９とガイド板３１とが摺動状態で接触することはない。また、背面カバー２１とフレキシブル配線材２９とが接する際も、摺動状態で接触することはない。すなわち、フレキシブル配線材２９がガイド板３１あるいは背面カバー２１と接する場合、ガイド板３１または背面カバー２１の特定の位置に対してあたかも転動するように、常に同じ位置が接するのみであり、従って、フレキシブル配線材２９に生じる磨耗の程度は、実質的に考慮の必要がない程度に、非常に少ない。
【００３３】
なお、ガイド板３１は、ＰＵＨ１９が最もターンテーブル１５側に移動された際には、シャーシベース１３上に設けられる部品あるいは回路要素と干渉する虞があるため、ＰＵＨ１９が移動された結果ガイド板３１が位置される周辺のターンテーブル１５の近傍の厚さを、部分的に薄くすることが好ましい。
【００３４】
図５は、ＰＵＨ１９とシャーシベース１３に設けられる制御回路部１４のそれぞれの接触端が逆向き、すなわちフレキシブル配線材２９がＰＵＨ１９のターンテーブル１５から離れた側の端部の接続端１９ｃと接続され、ターンテーブル１５の近傍でシャーシベース１３の接続端１４ａと接続される例を示す。すなわち、フレキシブル配線材２９は、屈曲部（ＰＵＨ１９が移動する際に変形する部分）２９ａがターンテーブル１５と反対の側に向けられた状態で方向が反転されて、ＰＵＨ１９の底部側（背面カバー２１上）を案内され、シャーシベース１３のターンテーブル１５の近傍の接続端１４ａと接続される。図４に示した例によっても、ＰＵＨ１９が移動されることにより生じるフレキシブル配線材２９の屈曲部の曲率半径の増大分が、カバー１７側及び背面カバー２１側へ表れることが抑止されている。
【００３５】
図５に示す例では、フレキシブル配線材２９は、ＰＵＨ１９が上述の内周側データ読み取り位置側に移動されることで、屈曲部２９ａの大きさが最大となり、上述の外周側データ読み取り位置側に移動されることで、屈曲部２９ａの大きさが最小となる。しかしながら、ガイド板３１を設けたことにより、フレキシブル配線材２９の自身の屈曲部の曲率半径の増大分は、カバー１７と背面カバー２１との間の空間に集約される。
【００３６】
また、ガイド板３１は、図６に示すように、例えばＰＵＨ１９から離れた側（先端部）がフレキシブル配線材２９の屈曲部の曲率半径の増大を抑えるように、フレキシブル配線材２９側に向けて所定の角度θが与えられてもよい。この場合、ガイド板３１のＰＵＨ１９から伸びる部分の長さは、図１または図４を用いて説明した例に比較して、低減可能となる。
【００３７】
なお、図７に示すように、図１に示したカバー１７の開口部１７ａの大きさを増大することにより、内部の熱を一層、効率よく逃がすことができる。
【００３８】
また、ドロワユニット１１がハウジングから突出することのないスロットインタイプの場合においても、ガイド板３１が設けられることによって、ターンテーブル１５に装着された光ディスクの情報記録面とフレキシブル配線材２９とが接触することを防止できるのでカバー１７を除去できる。この場合、ＰＵＨ１９内に設けられたレーザ発光素子及びアクチュエータ駆動コイルからの発熱によってＰＵＨ１９の温度上昇が低減され、その結果レーザ発光素子の温度上昇が低減される（ディスクが回転されて生じる気流がレーザ発光素子の冷却に利用できる）。
【００３９】
図８は、図１あるいは図７に示した放熱効率が高められたカバーを用いた場合のＰＵＨ（アクチュエータ）の周辺の温度上昇の程度を示している。なお、多くの光ディスクにおいては、「２×（倍速）」すなわち、（ディスクの）記録可能時間が７４分である場合に２倍の速度で書き込みが可能であって、通常は、書き込みに要求される時間は、４０分程度である。従って、温度上昇についても、４０分までのデータとしている。
【００４０】
図８において、曲線ａは、図７に示した開口部の大きさが増大されたカバーを用いた場合の温度上昇の程度を示している。また、曲線ｂは、図１に示した複数の放熱穴を設けたカバーを用いた場合の温度上昇の程度を示している。なお、曲線ｃは、（温度上昇の比較のため）図１に示したカバーの開口のない（本実施の形態が実施される以前の）標準的な形状のカバーを用いた場合を示している。一方、曲線ｄは、スロットインタイプの場合に利用可能なカバーなし（非装着）の場合を示している。
【００４１】
図８から、カバーの開口部の面積を大きくすること（図７の例）により、約２℃の温度低下（冷却能力の向上）が認められる（曲線ａ）。また、カバーに複数の放熱穴を設けること（図１の例）により、約１．５℃の温度低下が認められる（曲線ｂ）。なお、スロットインタイプへの適用に限られるが、カバーを取り外すことにより、約５℃の温度低下が認められる（曲線ｄ）。
【００４２】
図９は、図１乃至図７に示した光ディスク装置の制御回路部の制御系の一例を示す。
【００４３】
図９に示すように、光ディスク装置１０１は、対物レンズ１１１を用いて光ディスクの情報記録面に、ＰＵＨ１９の所定の位置に設けられているレーザ発光素子（ＬＤ）１１５から発光される所定波長のレーザ光を照射して得られる光ディスクからの反射レーザ光を受光し、光検出器（ＰＤＩＣ，photo detector IC）１１３により、反射レーザ光の強度に対応する電気信号を得る。
【００４４】
ＰＤＩＣ１１３からの出力は、コントローラ（主制御ブロック）１２１による制御により、例えばアドレス信号処理回路１２３において、現在レーザ光が照射されているトラックもしくは記録マーク列の位置の算出に用いられる。また、ＰＤＩＣ１１３からの出力は、ＲＦ信号処理回路１２５により、光ディスクに記録されている情報として再生される。
【００４５】
なお、光ディスクへの情報の記録時には、コントローラ１２１による制御により、記録信号処理回路１２７において、記録すべきデータに対応する記録信号（レーザ駆動信号）が生成され、レーザ駆動回路（ＬＤＤ）１２９に供給される。従って、レーザ発光素子１１５から所定の波長のレーザ光が出射され、対物レンズ１１１により光ディスクの情報記録面上にレーザ光が集光され、所定のスポットサイズのレーザ光が照射される。レーザ光の強度は、再生時／記録時／消去時により、任意に変化されることはいうまでも無い。
【００４６】
一方、アドレス信号処理回路１２３に基づいて、ヘッド送り機構２７に所定の制御量が供給され、ＰＵＨ１９が光ディスクの半径方向に移動される。また、光ディスクの情報記録面のトラックまたは記録マーク列が移動される速度が、ターンテーブル１５を回転させるディスクモータ１５−１へ、モータ制御回路１３１から供給される制御量が変化されることで、所定の速度に設定される。
【００４７】
なお、ＰＤＩＣ１１３からの出力の一部がＲＦ信号処理回路１２５に供給される前段で対物レンズ１１１の位置を変化させるためのサーボ回路１１７に供給され、対物レンズ１１１を光ディスクのフォーカス方向及びトラッキング方向に駆動するためのアクチュエータ駆動コイル（図示せず）を制御し、光ディスクの情報記録面と間の距離（フォーカス）、光ディスクの半径方向のトラックまたは記録マーク列の中心とのずれ（トラックキング）、および光ディスクが回転される際に生じる光ディスクの情報記録面の周期的な揺れ（チルト）等の補正に利用される。
【００４８】
以上説明したように、この発明の任意の実施の形態によれば、光ピックアップ装置とシャーシベース（ドロワシャーシ）とを電気的に接続するフレキシブル配線材は、フレキシブル配線材と光ディスクとが接することを防止するカバー部材と接触することが無くなる。
【００４９】
また、カバー部材を形成する際の自由度が高められ、光ピックアップ装置に収容されたレーザ発光素子及びアクチュエータ駆動コイルからの発生する熱によるレーザ発光素子の温度上昇が低減され、その結果レーザ発光素子の寿命拡大を図ることができる。
【００５０】
さらに、部品点数の低減及び軽量化が可能となり、製造コスト及び部品コストが低減される。
【００５１】
すなわち、光ディスクの情報記録面との接触による磨耗を抑制可能で、部品コスト及び装置コストも低減可能な光ピックアップ装置の信号線接続構造及び光ディスク装置が得られる。
【００５２】
なお、本発明は、上述のいずれかの実施の形態そのままに限定されるものではなく、実施段階ではその要旨を逸脱しない範囲で構成要素を変形して具体化できる。また、上記のいずれかの実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５３】
【図１】この発明の実施の一形態が適用可能な光ディスク装置の一例を示す概略図。
【図２】図１に示した光ディスク装置からドロワユニットを抜き出し、ドロワシャーシ／シャーシベースを分離した状態を示す概略図。
【図３】図２に示したドロワシャーシ／シャーシベースにおけるフレキシブル配線材の屈曲及び屈曲部の突出を説明する概略図。
【図４】図１乃至図３に示した光ディスク装置において、光ピックアップ（アクチュエータ）とシャーシベース（ドロワシャーシ）とを電気的に接続するフレキシブル配線材の光ピックアップの移動に対する屈曲部の曲率半径の変化を説明する概略図。
【図５】図４に示した実施の形態とは異なる光ピックアップ（アクチュエータ）とシャーシベース（ドロワシャーシ）とを電気的に接続するフレキシブル配線材の光ピックアップの移動に対する屈曲部の曲率半径の変化を説明する別の概略図。
【図６】図２および図４に示したガイド板の別の実施の形態の一例を示す概略図。
【図７】図１および図２に示したカバーの別の実施の形態の一例を示す概略図。
【図８】図１および図２あるいは図７に示したこの発明の任意の実施の形態が適用されたカバーを用いたことによる冷却能力の向上の一例を示す概略図。
【図９】この発明の実施の形態が適用された光ピックアップ装置が組み込まれた光ディスク装置の制御系の一例を示す概略図。
【符号の説明】
【００５４】
１０１…光ディスク装置、１…ハウジング、１１…ドロワユニット、１３…ドロワシャーシ／シャーシベース（ベース部材）、１４…制御回路部、１４ａ…制御回路部接続端、１５…ターンテーブル、１７…カバー、１７ａ…（カバーの）開口部、１７ｂ…（カバーの）放熱穴、１９…光ピックアップ装置（ＰＵＨ、支持体）、１９ｃ…（ＰＵＨ側の）接続端、２１…背面カバー、２７…ヘッド送り機構、２９…フレキシブル配線材（信号線配線材）、３１…ガイド板（案内部材）。
【図１】
2008117437.tif 000003
【図２】
2008117437.tif 000004
【図３】
2008117437.tif 000005
【図４】
2008117437.tif 000006
【図５】
2008117437.tif 000007
【図６】
2008117437.tif 000008
【図７】
2008117437.tif 000009
【図８】
2008117437.tif 000010
【図９】
2008117437.tif 000011